(57)【要約】【課題】時間経過によっても基本的に部品等の交換の手間やコストを不要とする。【解決手段】発電及び蓄電する発電蓄電部である発電機３１と蓄電器３２と、害虫が通過する通路に設けられ、前記発電蓄電部から給電を受けて前記害虫に通電すべく配置された電極である羽根３３と筐体壁２２とを具備する。【選択図】図１
2020150921.tif 000002
【特許請求の範囲】
【請求項１】
発電及び蓄電する発電蓄電部と、
害虫が通過する通路に設けられ、前記発電蓄電部から給電を受けて前記害虫に通電すべく配置された電極と、
を具備することを特徴とする害虫侵入防止装置。
【請求項２】
前記発電蓄電部における発電は、前記電極の動きまたは前記電極を隠し及び表す物の動きによって生じることを特徴とする請求項１に記載の害虫侵入防止装置。
【請求項３】
前記電極は、排水溝、通気口、屋内と屋外の境界部に設けられることを特徴とする請求項１または２に記載の害虫侵入防止装置。
【請求項４】
前記発電蓄電部は、水と風の少なくとも一方により回転する羽根を備え、この羽根の回転により発電を行うことを特徴とする請求項１乃至３のいずれか１項に記載の害虫侵入防止装置。
【請求項５】
前記羽根が回転する部分に開口を有する筐体を備え、前記電極が前記羽根と前記筐体間に電位差を生じさせるように構成されていることを特徴とする請求項４に記載の害虫侵入防止装置。
【請求項６】
前記電極は、屋内と屋外の境界部の扉、ドア、襖を含む戸に対応する戸枠に所定間隔で電位を生じさせるように配置されることを特徴とする請求項１または２に記載の害虫侵入防止装置。
【請求項７】
前記戸と前記戸枠のいずれか一方にコイルが設けられ、前記戸と前記戸枠のいずれか他方磁石が設けられ、前記戸のスライドにより発電を行う発電蓄電部を構成することを特徴とする請求項６に記載の害虫侵入防止装置。
【請求項８】
前記戸に車が設けられ、前記戸の開け閉めに応じて前記車が回転することにより発電を行うダイナモが発電蓄電部として設けられていることを特徴とする請求項６に記載の害虫侵入防止装置。
【請求項９】
前記電極は、複数の縦方向線と複数の横方向線が交差してメッシュ状に形成され、各交差点において縦方向線と横方向線が絶縁されて形成された網戸状に構成され、屋内と屋外の境界部の扉の枠部分に、ドアの枠部分に、襖を含む戸の枠部分に設けられていることを特徴とする請求項１または２に記載の害虫侵入防止装置。
【請求項１０】
人が前記電極に触れる位置に居る可能性を検出する人検出手段と、
前記人検出手段により人の居る可能性ありと検出されると、前記発電蓄電部から前記電極への給電を停止する給電停止手段と
を具備することを特徴とする請求項１乃至９のいずれか１項に記載の害虫侵入防止装置。
【請求項１１】
前記電極が、排水溝に設けられている場合には、人検出手段は、排水溝への水の流れの有無を検出するセンサであることを特徴とする請求項１０に記載の害虫侵入防止装置。
【請求項１２】
前記電極が、通気口に設けられている場合には、人検出手段は、熱センサ、光センサ、近接センサであることを特徴とする請求項１０に記載の害虫侵入防止装置。
【請求項１３】
前記電極が、屋内と屋外の境界部に設けられている場合には、人検出手段は、熱センサ、光センサ、近接センサ、タッチセンサであることを特徴とする請求項１０に記載の害虫侵入防止装置。
【発明の詳細な説明】
【技術分野】
【０００１】
この発明は、害虫侵入防止装置に関するものである。
【背景技術】
【０００２】
従来、ゴキブリ、ハエ、蚊などの害虫に対する対策としては、粘着性のシート等による捕捉によるもの、害虫の忌避剤を配置し或いは散布する、更には害虫を見つけて殺傷性の薬剤を散布する、誘引性のある色の光で誘引し高電圧を印加して殺傷する器具を配置するなどの手法が採用されている。
【０００３】
例えば引用文献１には、換気口からの侵入対策として粘着性のカートリッジを用いたものが開示され、引用文献２には、窓枠などに粘着性のシートを貼るものが開示されている。しかし、これらのものは、交換の手間や費用が必要であるばかりか、交換の際には衛生面に気を付ける必要が生じる。更に、特許文献３には、排水口に起泡性の防除剤を留め置くものが開示されているが、防除剤の交換などメンテナンスが必要である。
【０００４】
特許文献４には、従来は電極間に電圧パルスを印加する方法によるシロアリ駆除方法であったことが開示されると共に、新たに電極間に所定電圧の交番パルスを印加する手法が開示されており、また、特許文献５には、電極間に電圧を印加する害虫忌避装置において所定周期で電極間の電位を放電させるものが開示されている。
【０００５】
また、特許文献６には、電極間に直流電圧を印加した防虫装置が開示されている。更に、特許文献７には、ハエやゴキブリの対策として紫外線を用いて殺菌し間接的に害虫防止を図るものが開示されている。
【先行技術文献】
【特許文献】
【０００６】
【特許文献１】特許第６３３７２８１号公報
【特許文献２】特開２０１４−１５２５４０号公報
【特許文献３】特開２０１１−９８９０５号公報
【特許文献４】特開２００１−２８６２５４号公報
【特許文献５】特開２００１−１３６８９６号公報
【特許文献６】実開昭６０−１４１２２３号公報
【特許文献７】特開２００５−１３７２３号公報
【発明の概要】
【発明が解決しようとする課題】
【０００７】
上記のように従来の害虫対策として粘着性のシート等によるものと、電極に電位を与えるものが知られている。前者のものは交換が必要で手間やコストが必要であるという欠点がある。また、後者のものは、電源供給が必要であり、電池を電源とすると交換が必要であるという問題点がある。
【０００８】
本発明は上記のような害虫対策装置の問題点に鑑みなされたもので、その目的は、時間経過によっても基本的に部品等の交換の手間やコストが不要であり、また、電源を商用電源から得たり電池から得たりする必要がない害虫侵入防止装置を提供することである。
【課題を解決するための手段】
【０００９】
本実施形態に係る害虫対策装置は、発電及び蓄電する発電蓄電部と、害虫が通過する通路に設けられ、前記発電蓄電部から給電を受けて前記害虫に通電すべく配置された電極と、を具備することを特徴とする。
【図面の簡単な説明】
【００１０】
【図１】本発明の第１の実施形態に係る害虫対策装置の概略斜視図。
【図２】本発明の第１の実施形態に係る害虫対策装置における本体部の構成を示すブロック図。
【図３Ａ】本発明の第２の実施形態に係る害虫対策装置における本体部の構成を示すブロック図。
【図３Ｂ】本発明の第２の実施形態に係る害虫対策装置における複数枚の羽根に異なる電位を与える構成を示すブロック図。
【図４】本発明の第３の実施形態に係る害虫対策装置の概略正面図。
【図５】本発明の第３の実施形態に係る害虫対策装置の概略構成図。
【図６】本発明の第３の実施形態に係る害虫対策装置における本体部の構成を示すブロック図。
【図７】本発明の第３の実施形態に係る害虫対策装置における電極の配置を示す斜視図。
【図８】本発明の第３の実施形態に係る害虫対策装置における電極の配置を示す要部の平面図。
【図９】本発明の第４の実施形態に係る害虫対策装置の概略構成図。
【図１０】本発明の第４の実施形態に係る害虫対策装置における本体部の構成を示すブロック図。
【図１１】本発明の実施形態に係る害虫対策装置における電極の構成を示す図であり、電極を網戸型とした場合の構成を示す正面図。
【図１２】本発明の実施形態に係る害虫対策装置における電極の配置を示す要部の平面図。
【発明を実施するための形態】
【００１１】
以下添付図面を参照して本発明に係る害虫対策装置の実施形態を説明する。各図において同一の構成要素には、同一の符号を付して重複する説明を省略する。図１には、第１の実施形態に係る害虫対策装置の概略斜視図が示されている。害虫が通過する通路である排水溝１０を示す。例えば、流し台の排水口に繋がる排水パイプの部分である。
【００１２】
流し台の排水口１１から少し下方の位置には、円筒形状の筐体壁２２を有する害虫対策装置２０が設けられている上記筐体壁２２は排水溝１０の内径よりも僅かに大きな外径を有する。従って、筐体壁２２は排水溝１０内において外側に圧力をかけて、排水溝１０内の適宜な位置に留まることができる。
【００１３】
筐体壁２２の内側の例えば４か所から排水口１１の中心へ向かって図示しない指示アームが本体部３０へ延びており、指示アームによって本体部３０が支えられている。本体部３０には、図２に示されるように発電機３１と蓄電器３２が備えられている。発電機３１は図１に示される羽根３３の軸３４に接続されている。
【００１４】
羽根３３が回転すると発電機３１が発電を行い、発電された電力は蓄電器３２に蓄積される。羽根３３は、使用済みの水が流されることにより、或いは風により回転するものとする。
【００１５】
蓄電器３２には、電力出力部３５が接続されており、電力出力部３５は羽根３３と筐体壁２２に蓄電器３２の電力に基づく所定の電位が与えられる。例えば、羽根３３に所定電位を与え、筐体壁２２にグランドレベルの電位を与えるようにすることができる。または、羽根３３が４枚の羽根により構成されるものとして１枚目に所定電位を与え、次に隣接する１枚に所定電位の２倍の電位を与え、次に隣接する１枚に所定電位を与え、次に隣接する１枚に所定電位の２倍の電位を与えるようにし、筐体壁２２にグランドレベルの電位を与えるようにすることができる。
【００１６】
特定の羽根に指定の電位を与える構造例を図３Ｂに示す。３７ａは筐体壁、３７ｂは羽根、３７ｃは筐体壁３７ａに設けた伸縮可能な突起である。複数枚（図では、２枚を示す）の羽根３７ｂの特定箇所に１個づつの穴３７ｅを設け、筐体壁３７ａに設けた羽根３７ｂの枚数と同じ数の突起３７ｃが、上記各穴３７ｅに勘合したときの伸縮度合を破線の経路で検出し、この伸縮度合を基に羽根３７ｂを特定し、所要の羽根３７ｂに伸縮度合に応じて指定した電位を電位作成部３７ｄから与える構成を採用することができる。電位の供給ルートに、絶縁物の突起３７ｃの中途から羽根３７ｂまで設けた導電路（電位作成部３７ｄからの実線で示す）を採用することができる。この図３Ｂでは、一例として物理的な穴３７ｅと突起３７ｃを用いた手法を挙げたが、これに限定されるものではなく、電気的、光学的などの他手段による特定も可能である。
【００１７】
以上の羽根３３と筐体壁２２とは電極を構成し、この電極は、害虫が通過する通路に設けられ、上記発電蓄電部である発電機３１と蓄電器３２から給電を受けて上記害虫に通電すべく配置されている。以上のように構成された害虫侵入防止装置によれば、水が流され、或いは風が羽根３３に当たると、羽根３３が回転し、発電機３１による発電が起き、蓄電器３２へ蓄電が行われる。
【００１８】
電力出力部３５は蓄電器３２からの電位を所定にして前述のように羽根３３及び筐体壁２２に与える。この結果、羽根３３と筐体壁２２の間に害虫が忌避する程度の電位差が生じる。或いは、羽根３３と筐体壁２２の間ばかりでなく、隣接する羽根３３と羽根３３の間にも害虫が忌避する程度の電位差が生じる。ここでは、羽根３３と筐体壁２２が電極である。上記の電位差の部分の間隙は、害虫が通過したときに害虫に電流が流れ、害虫が引き返すか害虫を殺傷できるようになるものとする。
【００１９】
以上のようにして電撃を受けた害虫は引き換えし、或いは殺傷されて流し台の排水口１１側へ這い出すことはない。殺傷され、或いは電撃で弱体化した害虫は水により流されることになり、適切な侵入防止効果を奏することができる。
【００２０】
図３Ａには、第２の実施形態に係る害虫対策装置の本体部３０の構成を示す。本実施形態では、人が上記電極に触れる位置に居る可能性を検出する人検出手段としてのセンサ３６が設けられているものである。本実施形態では、電極が、排水溝１０に設けられている場合であり、人検出手段は、排水溝への水の流れの有無を検出するセンサ３６である。
【００２１】
センサ３６が水の流れを検出すると、電力出力部３５は電極への給電を停止する。この実施形態によれば、人が電極に触れる位置に居る可能性がある場合に電極への給電が停止されるので、人が感電する事故を防ぐことができ、安全に防虫を図ることできる。なお、センサ３６は、流し台付近に設けられた赤外線センサや温度センサなどの人感センサであっても良い。なお、上記の実施形態では、電極を排水溝１０に設けたものを示したが、電極を通気口に設けるようにし、通気口に本実施形態と同様の害虫対策装置の構成を備えるようにしても良い。羽根３３は風により回転し、発電がなされるようにする。また、通気口は縦穴型に限らず、横穴型や斜めに傾斜したものであっても良い。
【００２２】
図４に、第３の実施形態に係る害虫対策装置の構成図を示す。本実施形態では、電極が、屋内と屋外の境界部の扉、襖を含む戸に対応する戸枠に所定間隔で電位を生じさせるように配置されたものである。なお、本明細書において戸枠や窓枠は、移動する窓に対し固定されて摺動枠を提供する部分を指し、移動する窓の最外殻部を框（かまち）と称する。たとえば、図４に示されるように、戸枠４１に２枚の窓４２が左右に摺動可能に嵌合されている。図５は、１枚のみの窓４２について、下側の戸枠４１と共に示すもので、戸枠４１において移動（摺動）する。窓４２の下側と、窓４２の下側を受ける戸枠４１の部分の一方には磁石４３が他方にはコイル４４が設けられる。この構成は、窓４２の上側に設けられていても良い。
【００２３】
上記の構成によって窓４２が開け閉めのために移動させられると、磁石４３とコイル４４により電磁誘導が生じ、コイル４４に電圧が発生する。コイル４４の両端は本体部３０Ａに接続されている。本体部３０Ａは、図６に示されるように、コイル４４の電圧を受けて蓄電を行う蓄電器３２と、蓄電器３２の電力に基づく所定の電位を電極５１Ａ、５１Ｂへ与える電力出力部３５とを備える。磁石４３とコイル４４、及び蓄電器３２は、発電蓄電部を構成する。電力出力部３５は後述するセンサ３７から電力送付を禁止するための検出信号を受けて上記所定の電位の供給を停止する。
【００２４】
本実施形態の電極５１Ａ、５１Ｂの配置構成について、図７を参照して説明する。電極５１Ａ、５１Ｂは、戸枠４１の上下左右において、窓４２の框部分が嵌めこまれる溝部４６に設けられる。ここでは、電極５１Ａが陽極であり、電極５１Ｂが陰極である。陽極の電極５１Ａと陰極の電極５１Ｂとが交互に溝部４６の長手方向に並べられて配置される。電極５１Ａと電極５１Ｂとの間隙の寸法は、害虫をどのように置いたときにも電極５１Ａと電極５１Ｂの双方に接するようになされている。つまり、図８に示されるように、電極５１Ａと電極５１Ｂとの間に害虫Ｗが挟まったような場合にも、電極５１Ａと電極５１Ｂとの間の電圧に応じて害虫Ｗに電流が流れ、害虫Ｗを退避させ或いは殺傷することができる。窓４２の框部分における電極５１Ａ、５１Ｂに対して接触する部位は非導電性となっており、窓４２の框部分により電極５１Ａと電極５１Ｂの間がショートすることはない。
【００２５】
センサ３７は、窓４２や戸枠４１の周辺に設けられるもので、人が窓４２や戸枠４１に触れときに検出信号を出力するタッチセンサ、人が近づいたときに検出信号を出力する前述の人感センサとすることができる。
【００２６】
以上のように構成された害虫侵入防止装置では、窓４２が開け閉めのために移動させられると、磁石４３とコイル４４により電磁誘導が生じ、コイル４４に電圧が発生し、コイル４４の電圧は蓄電器３２に蓄電される。電力出力部３５は、蓄電器３２の電力に基づく所定の電位を電極５１Ａ、５１Ｂへ与える。また、電力出力部３５はセンサ３７から電力送付を禁止するための検出信号を受けると、上記電極５１Ａ、５１Ｂに対する所定の電位の供給を停止する。
【００２７】
図９に、第４の実施形態に係る害虫対策装置の構成図を示す。本実施形態では窓４２の下側に車輪６１が設けられており、窓４２の開閉時には車輪６１が回転して窓４２が移動する。車輪６１にはダイナモ６２が設けられており、車輪６１の回転に応じて発電がなされる。本体部３０Ｂは、図１０に示すようにダイナモ６２の電圧を受けて蓄電を行う蓄電器３２と電力出力部３５とを備える。これら蓄電器３２と電力出力部３５の構成、電極５１Ａ、５１Ｂ及びセンサ３７の構成は、図６に示した第３の実施形態のものと変わらない。ダイナモ６２及び蓄電器３２は、発電蓄電部を構成する。
【００２８】
上記第４の実施形態に係る害虫対策装置によれば、窓４２が開け閉めのために移動させられると、車輪６１の回転に応じて発電がなされ車輪６１の回転に応じて発電がなされ、蓄電器３２が蓄電される。電力出力部３５は、蓄電器３２の電力に基づく所定の電位を電極５１Ａ、５１Ｂへ与える。また、電力出力部３５はセンサ３７から電力送付を禁止するための検出信号を受けると、上記電極５１Ａ、５１Ｂに対する所定の電位の供給を停止する。
【００２９】
上記第４の実施形態は、回転式に開閉するドアに適用可能である。車輪６１をドアの回転に応じて走行するように走行方向が変化する自在キャスターを採用し、この自在キャスターにダイナモを設けることで実現可能である。以上のように発電蓄電部における発電は、上記電極の動きによって生じるものであり、第１の実施形態と第２の実施形態が、これに該当する。または発電蓄電部における発電は、上記電極を隠し及び表す物（窓や戸）の動きによって生じるものであり、第３の実施形態と第４の実施形態が、これに該当する。
【００３０】
次に、電極の構成について他の実施形態を挙げる。図１１に示すように金網型の電極とすることで、第３、第４の実施形態において電極として採用することができる。即ち、電極は、複数の縦方向線と複数の横方向線が交差してメッシュ状に形成され、各交差点において縦方向線と横方向線が絶縁されて形成された網戸状に構成されたものである。即ち、この電極では、図１１の部分拡大図である図１２に示すように、プラス側線７Ａとマイナス側線７Ｂとは、導電性の所謂裸線（はだかせん）であり、交差部分において一方が他方を跨ぐように構成される。メッシュ状の一マスの大きさは、害虫Ｗがマス目に入ったときに、害虫Ｗが必ずプラス側線７Ａとマイナス側線７Ｂとに接触するように構成される。
【００３１】
本体部の電力出力部からプラス側線７Ａとマイナス側線７Ｂとに電力を供給する。この電極の構成によっても、害虫Ｗの侵入を確実に防止することができる。また、電力出力部３５はセンサ３７から電力送付を禁止するための検出信号を受けると、上記プラス側線７Ａ、マイナス側線７Ｂに対する所定の電位の供給を停止する。各交差点において縦方向線と横方向線を絶縁する構成は、交差点のみに絶縁塗料を塗布するなどによっても実現することが可能である。
【符号の説明】
【００３２】
７Ａ  プラス側線
７Ｂ  マイナス側線
１０  排水溝
１１  排水口
２０  害虫対策装置
２２  筐体壁
３０、３０Ａ、３０Ｂ  本体部
３１  発電機
３２  蓄電器
３３  羽根
３４  軸
３５  電力出力部
３６、３７  センサ
３７ａ  筐体壁
３７ｂ  羽根
３７ｃ  突起
３７ｄ  電位作成部
３７ｅ  穴
４１  戸枠
４２  窓
４３  磁石
４６  溝部
４４  コイル
５１Ａ、５１Ｂ  電極
６１  車輪
６２  ダイナモ
【図１】
2020150921.tif 000003
【図２】
2020150921.tif 000004
【図３Ａ】
2020150921.tif 000005
【図３Ｂ】
2020150921.tif 000006
【図４】
2020150921.tif 000007
【図５】
2020150921.tif 000008
【図６】
2020150921.tif 000009
【図７】
2020150921.tif 000010
【図８】
2020150921.tif 000011
【図９】
2020150921.tif 000012
【図１０】
2020150921.tif 000013
【図１１】
2020150921.tif 000014
【図１２】
2020150921.tif 000015